(57)【要約】本開示の実施例は、警報方法および装置に関し、インターネット技術分野に属する。前記方法は、監視ビデオを取得することと、前記監視ビデオの敏感エリアに監視ターゲットが存在するかどうかを判断することと、前記敏感エリアに監視ターゲットが存在する場合、端末に警報情報を送信し、前記端末が警報を行うようにすることとを含む。監視ビデオの敏感エリアに監視ターゲットが存在するかどうかを判断することは、監視ビデオに移動ターゲットが存在するかどうかを判断することと、監視ビデオに移動ターゲットが存在する場合、移動ターゲットが監視ターゲットであるかどうかを判断することと、移動ターゲットが監視ターゲットである場合、監視ターゲットが敏感エリアに位置するかどうかを判断することと、監視ターゲットが敏感エリアに位置する場合、監視ビデオの敏感エリアに監視ターゲットが存在することを確定することとを含むことを特徴とする。【選択図】図２
2017538978.tif 000002
【特許請求の範囲】
【請求項１】
警報方法であって、
監視ビデオを取得することと、
前記監視ビデオの敏感エリアに監視ターゲットが存在するかどうかを判断することと、
前記敏感エリアに前記監視ターゲットが存在する場合、端末に警報情報を送信し、前記端末が警報を行うようにすることとを含む、前記警報方法。
【請求項２】
前記の前記監視ビデオの敏感エリアに監視ターゲットが存在するかどうかを判断することは、
前記監視ビデオに移動ターゲットが存在するかどうかを判断することと、
前記監視ビデオに前記移動ターゲットが存在する場合、前記移動ターゲットが監視ターゲットであるかどうかを判断することと、
前記移動ターゲットが前記監視ターゲットである場合、前記監視ターゲットが敏感エリアに位置するかどうかを判断することと、
前記監視ターゲットが前記敏感エリアに位置する場合、前記監視ビデオの敏感エリアに前記監視ターゲットが存在することを確定することとを含むことを特徴とする
請求項１記載の方法。
【請求項３】
前記の前記監視ビデオの敏感エリアに監視ターゲットが存在するかどうかを判断することは、
前記監視ビデオの敏感エリアに移動ターゲットが存在するかどうかを判断することと、
前記敏感エリアに前記移動ターゲットが存在する場合、前記移動ターゲットが監視ターゲットであるかどうかを判断することと、
前記移動ターゲットが前記監視ターゲットである場合、前記監視ビデオの敏感エリアに前記監視ターゲットが存在することを確定することとを含むことを特徴とする
請求項１に記載の方法。
【請求項４】
前記の前記移動ターゲットが監視ターゲットであるかどうかを判断することは、
前記移動ターゲットの特徴を確定することと、
前記移動ターゲットの特徴と前記監視ターゲットの特徴とのマッチング度合いを確定することと、
前記マッチング度合いが指定された値より大きい場合、前記移動ターゲットが前記監視ターゲットであることを確定することとを含むことを特徴とする
請求項２または３に記載の方法。
【請求項５】
前記の前記移動ターゲットの特徴を確定することは、
前記監視ビデオのビデオ画像に、前記移動ターゲットの所在エリアを切り取り、ターゲット画像を取得することと、
前記ターゲット画像に対して特徴抽出を行い、前記移動ターゲットの特徴を取得することとを含むことを特徴とする
請求項４に記載の方法。
【請求項６】
前記の前記移動ターゲットの特徴と前記監視ターゲットの特徴とのマッチング度合いを確定する前に、さらに、
前記端末から送信された設定情報を受信し、前記設定情報に監視ターゲット識別子情報が携帯されることと、
前記監視ターゲット識別子情報に基づいて、記憶された履歴ビデオから、前記監視ターゲットの追跡ビデオを取得することと、
前記追跡ビデオの各フレームのビデオ画像から、前記監視ターゲットの追跡画像を取得することと、
前記監視ターゲットの追跡画像に対して特徴抽出を行い、前記監視ターゲットの特徴を取得することとを含むことを特徴とする
請求項４に記載の方法。
【請求項７】
前記設定情報にも前記監視ターゲットに対応する敏感エリア情報が携帯され、前記敏感エリア情報は、敏感エリアを取得することに用いられることを特徴とする
請求項６に記載の方法。
【請求項８】
前記の前記監視ターゲットが敏感エリアに位置するかどうかを判断することは、
前記監視ターゲットに対してターゲット追跡を行い、前記監視ターゲットの現時点の所在位置を取得することと、
前記監視ターゲットの現時点の所在位置に基づいて、前記監視ターゲットが敏感エリアに位置するかどうかを判断することとを含むことを特徴とする
請求項２に記載の方法。
【請求項９】
警報方法であって、
サーバーに設定情報を送信し、前記設定情報に監視ターゲット識別子情報と監視ターゲットに対応する敏感エリア情報が携帯され、前記サーバーが監視ビデオを取得し、且つ、前記監視ビデオの敏感エリアに前記監視ターゲットが存在する場合、警報情報を返すようにすることと、
前記サーバーから返された警報情報を受信した場合、前記警報情報に基づいて警報を行うこととを含む、前記警報方法。
【請求項１０】
前記のサーバーに設定情報を送信する前に、さらに、
履歴ビデオを取得し、前記履歴ビデオを再生することと、
前記履歴ビデオを再生する過程において、前記履歴ビデオのビデオ画像に基づいて、前記監視ターゲット識別子情報と前記監視ターゲットに対応する敏感エリア情報を確定することとを含むことを特徴とする
請求項９に記載の方法。
【請求項１１】
前記の前記履歴ビデオのビデオ画像に基づいて、前記監視ターゲット識別子情報と前記監視ターゲットに対応する敏感エリア情報を確定することは、
前記履歴ビデオのビデオ画像に基づいて第一選択命令を受信した場合、前記第一選択命令により選択されたオブジェクトを前記監視ターゲットとして確定することと、
前記履歴ビデオのビデオ画像に基づいて第二選択命令を受信した場合、前記第二選択命令により選択されたエリアを前記監視ターゲットに対応する敏感エリアとして確定することと、
前記監視ターゲットの監視ターゲット識別子情報を取得し、および前記敏感エリアの敏感エリア情報を取得することとを含むことを特徴とする
請求項１０に記載の方法。
【請求項１２】
前記の前記履歴ビデオのビデオ画像に基づいて、前記監視ターゲット識別子情報と前記監視ターゲットに対応する敏感エリア情報を確定することは、
前記履歴ビデオのビデオ画像で描かれた第一エリアと前記ビデオ画像で選択されたターゲットオブジェクトを取得し、前記ターゲットオブジェクトが前記ビデオ画像で描かれた第二エリアに含まれるオブジェクトであり、または前記ターゲットオブジェクトが前記ビデオ画像で検出された選択操作により選択されたオブジェクトであることと、
前記第一エリアと前記ターゲットオブジェクトのうちの少なくとも一つで事前に設定されたジェスチャー操作が検出された場合、前記第一エリアを前記監視ターゲットに対応する敏感エリアとして確定し、および前記ターゲットオブジェクトを前記監視ターゲットとして確定することと、
前記監視ターゲットの監視ターゲット識別子情報を取得し、および前記敏感エリアの敏感エリア情報を取得することとを含むことを特徴とする
請求項１０に記載の方法。
【請求項１３】
警報装置であって、
監視ビデオを取得するように構成される取得モジュールと、
前記監視ビデオの敏感エリアに監視ターゲットが存在するかどうかを判断するように構成される判断モジュールと、
前記敏感エリアに前記監視ターゲットが存在する場合、端末に警報情報を送信し、前記端末が警報を行うようにするように構成される送信モジュールとを含む、前記警報装置。
【請求項１４】
前記判断モジュールは、
前記監視ビデオに移動ターゲットが存在するかどうかを判断するように構成される第一判断ユニットと、
前記監視ビデオに前記移動ターゲットが存在する場合、前記移動ターゲットが監視ターゲットであるかどうかを判断するように構成される監視ターゲット識別ユニットと、  
前記移動ターゲットが前記監視ターゲットである場合、前記監視ターゲットが敏感エリアに位置するかどうかを判断するように構成される第二判断ユニットと、
前記監視ターゲットが前記敏感エリアに位置する場合、前記監視ビデオの敏感エリアに前記監視ターゲットが存在することを確定するように構成される第一確定ユニットとを含むことを特徴とする
請求項１３に記載の装置。
【請求項１５】
前記判断モジュールは、
前記監視ビデオの敏感エリアに移動ターゲットが存在するかどうかを判断するように構成される第三判断ユニットと、
前記敏感エリアに前記移動ターゲットが存在する場合、前記移動ターゲットが監視ターゲットであるかどうかを判断するように構成される監視ターゲット識別ユニットと、
前記移動ターゲットが前記監視ターゲットである場合、前記監視ビデオの敏感エリアに前記監視ターゲットが存在することを確定するように構成される第二確定ユニットとを含むことを特徴とする
請求項１３に記載の装置。
【請求項１６】
前記監視ターゲット識別ユニットは、
前記移動ターゲットの特徴を確定するように構成される第一確定サブユニットと、
前記移動ターゲットの特徴と前記監視ターゲットの特徴とのマッチング度合いを確定するように構成される第二確定サブユニットと、
前記マッチング度合いが指定された値より大きい場合、前記移動ターゲットが前記監視ターゲットであることを確定するように構成される第三確定サブユニットとを含むことを特徴とする
請求項１４または１５に記載の装置。
【請求項１７】
前記第一確定サブユニットは、
前記監視ビデオに前記移動ターゲットが存在する場合、前記監視ビデオのビデオ画像に、前記移動ターゲットの所在エリアを切り取り、ターゲットオブジェクトを取得し、
前記ターゲット画像に対して特徴抽出を行い、前記移動ターゲットの特徴を取得するように構成されることを特徴とする
請求項１６に記載の装置。
【請求項１８】
前記監視ターゲット識別ユニットは、さらに、
前記端末から送信された設定情報を受信するように構成され、前記設定情報に監視ターゲット識別子情報が携帯されている受信サブユニットと、
前記監視ターゲット識別子情報に基づいて、記憶された履歴ビデオから前記監視ターゲットの追跡ビデオを取得するように構成される第一取得サブユニットと、
前記追跡ビデオの各フレームのビデオ画像から、前記監視ターゲットの追跡画像を取得するように構成される第二取得サブユニットと、
前記監視ターゲットの追跡画像に対して特徴抽出を行い、前記監視ターゲットの特徴を取得するように構成される抽出サブユニットとを含むことを特徴とする
請求項１６に記載の装置。
【請求項１９】
前記設定情報にも前記監視ターゲットに対応する敏感エリア情報が携帯され、前記敏感エリア情報は、敏感エリアを取得することに用いられることを特徴とする
請求項１８に記載の装置。
【請求項２０】
前記第二判断ユニットは、
前記移動ターゲットが前記監視ターゲットである場合、前記監視ターゲットに対してターゲット追跡を行い、前記監視ターゲットの現時点の所在位置を取得するように構成される追跡サブユニットと、
前記監視ターゲットの現時点の所在位置に基づいて、前記監視ターゲットが敏感エリアに位置するかどうかを判断するように構成される判断サブユニットとを含むことを特徴とする
請求項１４に記載の装置。
【請求項２１】
警報装置であって、
サーバーに設定情報を送信するように構成され、前記設定情報に監視ターゲット識別子情報と監視ターゲットに対応する敏感エリア情報が携帯され、前記サーバーが監視ビデオを取得し、且つ前記監視ビデオの敏感エリアに前記監視ターゲットが存在する場合、警報情報を返すようにする第一の送信モジュールと、
前記サーバーから返された警報情報を受信した場合、前記警報情報に基づいて警報を行うように構成される警報モジュールとを含む、前記警報装置。
【請求項２２】
前記装置は、さらに、
履歴ビデオを取得するように構成される取得モジュールと、
前記履歴ビデオを再生するように構成される再生モジュールと、
前記履歴ビデオを再生する過程において、前記履歴ビデオのビデオ画像に基づいて、前記監視ターゲット識別子情報と前記監視ターゲットに対応する敏感エリア情報を確定するように構成される確定モジュールとを含むことを特徴とする
請求項２１に記載の装置
【請求項２３】
前記確定モジュールは、
前記履歴ビデオを再生する過程において、前記履歴ビデオのビデオ画像に基づいて第一選択命令を受信した場合、前記第一選択命令により選択されたオブジェクトを前記監視ターゲットとして確定するように構成される第一確定ユニットと、
前記履歴ビデオのビデオ画像に基づいて第二選択命令を受信した場合、前記第二選択命令により選択されたエリアを前記監視ターゲットに対応する敏感エリアとして確定するように構成される第二確定ユニットと、
前記監視ターゲットの監視ターゲット識別子情報を取得し、および前記敏感エリアの敏感エリア情報を取得するように構成される第一取得ユニットとを含むことを特徴とする
請求項２２に記載の装置。
【請求項２４】
前記確定モジュールは、
前記履歴ビデオのビデオ画像で描かれた第一エリアと前記ビデオ画像で選択されたターゲットオブジェクトを取得するように構成され、前記ターゲットオブジェクトが前記ビデオ画像で描かれた第二エリアに含まれるオブジェクトであり、または前記ターゲットオブジェクトが前記ビデオ画像で検出された選択操作により選択されたオブジェクトである第二取得ユニットと、
前記第一エリアと前記ターゲットオブジェクトのうちの少なくとも一つで事前に設定されたジェスチャー操作が検出された場合、前記第一エリアを前記監視ターゲットに対応する敏感エリアとして確定し、および前記ターゲットオブジェクトを前記監視ターゲットとして確定するように構成される第三確定ユニットと、
前記監視ターゲットの監視ターゲット識別子情報を取得し、および前記敏感エリアの敏感エリア情報を取得するように構成される第三取得ユニットとを含むことを特徴とする
請求項２２に記載の装置。
【請求項２５】
警報装置であって、
プロセッサと、
プロセッサ実行可能命令を記憶するように構成されるメモリとを含み、
ここで、前記プロセッサは、
監視ビデオを取得し、
前記監視ビデオの敏感エリアに監視ターゲットが存在するかどうかを判断し、
前記敏感エリアに前記監視ターゲットが存在する場合、端末に警報情報を送信し、前記端末が警報を行うようにするように構成される、前記警報装置。
【請求項２６】
警報装置であって、
プロセッサと、
プロセッサ実行可能命令を記憶するように構成されるメモリとを含み、
ここで、前記プロセッサは、
サーバーに設定情報を送信し、前記設定情報に監視ターゲット識別子情報と監視ターゲットに対応する敏感エリア情報が携帯され、前記サーバーが監視ビデオを取得し、且つ、前記監視ビデオの敏感エリアに前記監視ターゲットが存在する場合、警報情報を返すようにし、
前記サーバーから返された警報情報を受信した場合、前記警報情報に基づいて警報を行うように構成される、前記警報装置。
【発明の詳細な説明】
【技術分野】
【０００１】
関連出願の相互参照
本出願は出願番号２０１５１０７１３１４３．１、出願日２０１５年１０月２８日の中国特許出願に基づいて提出され、且つ、当該中国特許出願の優先権を主張しており、当該中国特許出願の全ての内容が本願に援用される。
【０００２】
本開示は、インターネット技術分野に関し、特に警報方法および装置に関する。
【背景技術】
【０００３】
カメラの普及に伴い、カメラを使用してリアルタイムに監視することは、ますます人気になってきている。カメラは、リアルタイムに監視する時に監視エリアにおける画像を収集できるが、カメラの監視エリアに敏感エリア、例えばソケット付近、ドア、窓などが存在する場合が多く、特定のオブジェクトが敏感エリアに位置する場合、不安全なイベントが発生するかもしれなく、例えば、子供がソケット付近にいる場合、危険をもたらす可能性があり、したがって、不安全なイベントの発生を予防するように、警報方法が必要となる。
【発明の概要】
【課題を解決するための手段】
【０００４】
関連技術に存在する問題を克服するために、本開示の実施例は、警報方法および装置を提供する。
【０００５】
本開示の実施例の第一態様による警報方法は、
監視ビデオを取得することと、
前記監視ビデオの敏感エリアに監視ターゲットが存在するかどうかを判断することと、
前記敏感エリアに前記監視ターゲットが存在する場合、端末に警報情報を送信し、前記端末が警報を行うようにすることとを含む。
【０００６】
第一態様と組み合わせて、前記第一態様の第一可能な実現形態において、前記の前記監視ビデオの敏感エリアに監視ターゲットが存在するかどうかを判断することは、
前記監視ビデオに移動ターゲットが存在するかどうかを判断することと、
前記監視ビデオに前記移動ターゲットが存在する場合、前記移動ターゲットが監視ターゲットであるかどうかを判断することと、
前記移動ターゲットが前記監視ターゲットである場合、前記監視ターゲットが敏感エリアに位置するかどうかを判断することと、
前記監視ターゲットが前記敏感エリアに位置する場合、前記監視ビデオの敏感エリアに前記監視ターゲットが存在することを確定することとを含む。
【０００７】
第一態様と組み合わせて、前記第一態様の第二の可能な実現形態において、前記の前記監視ビデオの敏感エリアに監視ターゲットが存在するかどうかを判断することは、
前記監視ビデオの敏感エリアに移動ターゲットが存在するかどうかを判断することと、
前記敏感エリアに前記移動ターゲットが存在する場合、前記移動ターゲットが前記監視ターゲットであるかどうかを判断することと、
前記移動ターゲットが前記監視ターゲットである場合、前記監視ビデオの敏感エリアに前記監視ターゲットが存在することを確定することとを含む。
【０００８】
第一態様の第一の可能な実現形態または第一態様の第二の可能な実現形態と組み合わせて、前記第一態様の第三の可能な実現形態において、前記の前記移動ターゲットが監視ターゲットであるかどうかを判断することは、
前記移動ターゲットの特徴を確定することと、
前記移動ターゲットの特徴と前記監視ターゲットの特徴とのマッチング度合いを確定することと、
前記マッチング度合いが指定された値より大きい場合、前記移動ターゲットが前記監視ターゲットであることを確定することとを含む。
【０００９】
第一態様の第三の可能な実現形態と組み合わせて、前記第一態様の第四の可能な実現形態において、前記の移動ターゲットの特徴を確定することは、
前記監視ビデオのビデオ画像に、前記移動ターゲットの所在するエリアを切り取り、ターゲット画像を取得することと、
前記ターゲット画像の特徴を抽出し、前記移動ターゲットの特徴を取得することとを含む。
【００１０】
第一態様の第三の可能な実現形態と組み合わせて、前記第一態様の第五の可能な実現形態において、前記の前記移動ターゲットの特徴と前記監視ターゲットの特徴とのマッチング度合いを確定する前に、さらに、
前記端末から送信された設定情報を受信し、前記設定情報に監視ターゲット識別子情報が携帯されていることと、
前記監視ターゲット識別子情報に基づいて、記憶された履歴ビデオから、前記監視ターゲットの追跡ビデオを取得することと、
前記追跡ビデオの各フレームのビデオ画像から、前記監視ターゲットの追跡画像を取得することと、
前記監視ターゲットの追跡画像に対して特徴抽出を行い、前記監視ターゲットの特徴を取得することとを含む。
【００１１】
第一態様の第五の可能な実現形態と組み合わせて、前記第一態様の第六の可能な実現形態において、前記設定情報にも前記監視ターゲットに対応する敏感エリア情報が携帯され、前記敏感エリア情報が敏感エリアを取得することに用いられる。
【００１２】
第一態様の第一の可能な実現形態と組み合わせて、前記第一態様の第七の可能な実現形態において、前記の前記監視ターゲットが敏感エリアに位置するかどうかを判断することは、
前記監視ターゲットに対してターゲット追跡を行い、前記監視ターゲットの現時点の所在位置を取得することと、
前記監視ターゲットの現時点の所在位置に基づいて、前記監視ターゲットが敏感エリアに位置するかどうかを判断することとを含む。
【００１３】
本開示の実施例の第二態様による警報方法は、
サーバーに設定情報を送信し、前記設定情報に監視ターゲット識別子情報と監視ターゲットに対応する敏感エリア情報が携帯され、これにより、前記サーバーが監視ビデオを取得し、且つ、前記監視ビデオの敏感エリアに前記監視ターゲットが存在する場合、警報情報を返すことと、
前記サーバーから返された警報情報を受信した場合、前記警報情報に基づいて警報を行うこととを含む。
【００１４】
第二態様と組み合わせて、前記第二態様の第一の可能な実現形態において、前記のサーバーに設定情報を送信する前に、さらに、
履歴ビデオを取得し、前記履歴ビデオを再生することと、
前記履歴ビデオを再生する過程において、前記履歴ビデオのビデオ画像に基づいて、前記監視ターゲット識別子情報と前記監視ターゲットに対応する敏感エリア情報を確定することとを含む。
【００１５】
第二態様の第一の可能な実現形態と組み合わせて、前記の第二態様の第二の可能な実現形態において、前記の前記履歴ビデオのビデオ画像に基づいて、前記監視ターゲット識別子情報と前記監視ターゲットに対応する敏感エリア情報を確定することは、
前記履歴ビデオのビデオ画像に基づいて第一選択命令を受信した場合、前記第一選択命令により選択されたオブジェクトを前記監視ターゲットとして確定することと、
前記履歴ビデオのビデオ画像に基づいて第二選択命令を受信した場合、前記第二選択命令により選択されたエリアを前記監視ターゲットに対応する敏感エリアとして確定することと、
前記監視ターゲットの監視ターゲット識別子情報を取得し、および前記敏感エリアの敏感エリア情報を取得することとを含む。
【００１６】
第二態様の第一の可能な実現形態と組み合わせて、前記第二態様の第三の可能な実現形態において、前記の前記履歴ビデオのビデオ画像に基づいて、前記監視ターゲット識別子情報と前記監視ターゲットに対応する敏感エリア情報を確定することは、
前記履歴ビデオのビデオ画像で描かれた第一エリアと前記ビデオ画像で選択されたターゲットオブジェクトを取得し、前記ターゲットオブジェクトが前記ビデオ画像で描かれた第二エリアに含まれるオブジェクトであり、または前記ターゲットオブジェクトが前記ビデオ画像で検出された選択操作により選択されたオブジェクトであることと、
前記第一エリアと前記ターゲットオブジェクトのうちの少なくとも一つで予め設定されたジェスチャー操作が検出された場合、前記第一エリアを前記監視ターゲットに対応する敏感エリアとして確定し、および前記ターゲットオブジェクトを前記監視ターゲットとして確定することと、
前記監視ターゲットの監視ターゲット識別子情報を取得し、および前記敏感エリアの敏感エリア情報を取得することとを含む。
【００１７】
本開示の実施例の第三態様による警報装置は、
監視ビデオを取得するように構成される取得モジュールと、
前記監視ビデオの敏感エリアに監視ターゲットが存在するかどうかを判断するように構成される判断モジュールと、
前記敏感エリアに前記監視ターゲットが存在する場合、端末に警報情報を送信し、前記端末が警報を行うようにするように構成される送信モジュールとを含む。
【００１８】
第三態様と組み合わせて、前記第三態様の第一の可能な実現形態において、前記判断モジュールは、
前記監視ビデオに移動ターゲットが存在するかどうかを判断するように構成される第一判断ユニットと、
前記監視ビデオに移動ターゲットが存在する場合、前記移動ターゲットが監視ターゲットであるかどうかを判断するように構成される監視ターゲット識別ユニットと、
前記移動ターゲットが前記監視ターゲットである場合、前記監視ターゲットが敏感エリアに位置するかどうかを判断するように構成される第二判断モジュールと、
前記監視ターゲットが前記敏感エリアに位置する場合、前記監視ビデオの敏感エリアに前記監視ターゲットが存在することを確定するように構成される第一確定ユニットとを含む。
【００１９】
第三態様と組み合わせて、前記第三態様の第二の可能な実現形態において、前記判断モジュールは、
前記監視ビデオの敏感エリアに移動ターゲットが存在するかどうかを判断するように構成される第三判断ユニットと、
前記敏感エリアに前記移動ターゲットが存在する場合、前記移動ターゲットが監視ターゲットであるかどうかを判断するように構成される監視ターゲット識別ユニットと、
前記移動ターゲットが前記監視ターゲットである場合、前記監視ビデオの敏感エリアに前記監視ターゲットが存在することを確定するように構成される第二確定ユニットとを含む。
【００２０】
第三態様の第一の可能な実現形態または第三態様の第二の可能な実現形態と組み合わせて、前記第三態様の第三の可能な実現形態において、前記監視ターゲット識別ユニットは、
前記移動ターゲットの特徴を確定するように構成される第一確定サブユニットと、
前記移動ターゲットの特徴と前記監視ターゲットの特徴とのマッチング度合いを確定するように構成される第二確定サブユニットと、
前記マッチング度合いが指定された値より大きい場合、前記移動ターゲットが前記監視ターゲットであることを確定するように構成される第三確定サブユニットとを含む。
【００２１】
第三態様の第三の可能な実現形態と組み合わせて、前記第三態様の第四の可能な実現形態において、前記第一確定サブユニットは、
前記監視ビデオに移動ターゲットが存在する場合、前記監視ビデオのビデオ画像に、前記移動ターゲットの所在するエリアを切り取り、ターゲット画像を取得し、
前記ターゲット画像に対して特徴抽出を行い、前記移動ターゲットの特徴を取得するように構成される。
【００２２】
第三態様の第三の可能な実現形態と組み合わせて、前記第三態様の第五の可能な実現形態において、前記監視ターゲット識別ユニットは、
前記端末から送信された設定情報を受信するように構成され、前記設定情報に監視ターゲット識別子情報が携帯されている受信サブユニットと、
前記監視ターゲット識別子情報に基づいて、記憶された履歴ビデオから前記監視ターゲットの追跡ビデオを取得するように構成される第一取得サブユニットと、
前記追跡ビデオの各フレームのビデオ画像から、前記監視ターゲットの追跡画像を取得するように構成される第二取得サブユニットと、
前記監視ターゲットの追跡画像に対して特徴抽出を行い、前記監視ターゲットの特徴を取得するように構成される抽出サブユニットとをさらに含む。
【００２３】
第三態様の第五の可能な実現形態と組み合わせて、前記第三態様の第六の可能な実現形態において、前記設定情報にも前記監視ターゲットに対応する敏感エリア情報が携帯され、前記敏感エリア情報が敏感エリアを取得することに用いられる。
【００２４】
第三態様の第一の可能な実現形態と組み合わせて、前記第三態様の第七の可能な実現形態において、前記第二判断ユニットは、
前記移動ターゲットが前記監視ターゲットである場合、前記監視ターゲットに対してターゲット追跡を行い、前記監視ターゲットの現時点の所在位置を取得するように構成される追跡サブユニットと、
前記監視ターゲットの現時点の所在位置に基づいて、前記監視ターゲットが敏感エリアに位置するかどうかを判断するように構成される判断サブユニットとを含む。
【００２５】
本開示の実施例の第四態様による警報装置は、
サーバーに設定情報を送信するように構成され、前記設定情報に監視ターゲット識別子情報と監視ターゲットに対応する敏感エリア情報が携帯され、前記サーバーが監視ビデオを取得し、且つ、前記監視ビデオの敏感エリアに前記監視ターゲットが存在する場合、警報情報を返すようにする第一送信モジュールと、
前記サーバーから返された警報情報を受信した場合、前記警報情報に基づいて警報を行うように構成される警報モジュールとを含む。
【００２６】
第四態様と組み合わせて、前記第四態様の第一の可能な実現形態において、前記装置は、さらに、
履歴ビデオを取得するように構成される取得モジュールと、
前記履歴ビデオを再生するように構成される再生モジュールと、
前記履歴ビデオを再生する過程において、前記履歴ビデオのビデオ画像に基づいて、前記監視ターゲット識別子情報と前記監視ターゲットに対応する敏感エリア情報を確定するように構成される確定モジュールとを含む。
【００２７】
第四態様の第一の可能な実現形態と組み合わせて、前記第一態様の第二の可能な実現形態において、前記確定モジュールは、
前記履歴ビデオを再生する過程において、前記履歴ビデオのビデオ画像に基づいて第一選択命令を受信した場合、前記第一選択命令により選択されたオブジェクトを前記監視ターゲットとして確定するように構成される第一確定ユニットと、
前記履歴ビデオのビデオ画像に基づいて第二選択命令を受信した場合、前記第二選択命令により選択されたエリアを前記監視ターゲットに対応する敏感エリアとして確定するように構成される第二確定ユニットと、
前記監視ターゲットの監視ターゲット識別子情報を取得し、および前記敏感エリアの敏感エリア情報を取得するように構成される第一取得ユニットとを含む。
【００２８】
第四態様の第一の可能な実現形態と組み合わせて、前記第四態様の第三の可能な実現形態において、前記確定モジュールは、
前記履歴ビデオのビデオ画像で描かれた第一エリアと前記ビデオ画像で選択されたターゲットオブジェクトを取得するように構成され、前記ターゲットオブジェクトが前記ビデオ画像で描かれた第二エリアに含まれるオブジェクトであり、または前記ターゲットオブジェクトが前記ビデオ画像で検出された選択操作により選択されたオブジェクトである第二取得ユニットと。
【００２９】
前記第一エリアと前記ターゲットオブジェクトのうちの少なくとも一つで予め設定されたジェスチャー操作が検出された場合、前記第一エリアを前記監視ターゲットに対応する敏感エリアとして確定し、および前記ターゲットオブジェクトを前記監視ターゲットとして確定するように構成される第三確定ユニットと、
前記監視ターゲットの監視ターゲット識別子情報を取得し、および前記敏感エリアの敏感エリア情報を取得するように構成される第三取得ユニットとを含む。
【００３０】
本開示の実施例の第五態様による警報装置は、
プロセッサと、
プロセッサ実行可能命令を記憶するように構成されるメモリとを含み、
ここで、前記プロセッサは、
監視ビデオを取得し、
前記監視ビデオの敏感エリアに監視ターゲットが存在するかどうかを判断し、
前記敏感エリアに前記監視ターゲットが存在する場合、端末に警報情報を送信し、前記端末が警報を行うようにするように構成される。
【００３１】
本開示の実施例の第六態様による警報装置は、
プロセッサと、
プロセッサ実行可能命令を記憶するように構成されるメモリとを含み、
ここで、前記プロセッサは、
サーバーに設定情報を送信し、前記設定情報に監視ターゲット識別子情報と監視ターゲットに対応する敏感エリア情報が携帯され、前記サーバーが監視ビデオを取得し、且つ前記監視ビデオの敏感エリアに前記監視ターゲットが存在する場合、警報情報を返するようにし、
前記サーバーから返された警報情報を受信した場合、前記警報情報に基づいて警報を行うように構成される。
【００３２】
本開示の実施例において、サーバーは、監視ビデオを取得し、且つ監視ビデオの敏感エリアに監視ターゲットが存在するかどうかを判断し、敏感エリアに監視ターゲットが存在する場合、サーバーは、端末に警報情報を送信し、端末が警報を行うようにし、それによって不安全なイベントの発生を予防する。
【００３３】
以上の一般的な説明と後の詳細な説明は、例示的と説明的なものだけであるので、本発明を制限できないと理解すべきである。
【図面の簡単な説明】
【００３４】
【図１】例示的な実施例による警報方法のフローチャートである。
【図２】例示的な実施例による警報方法のフローチャートである。
【図３】例示的な実施例による別警報方法のフローチャートである。
【図４】例示的な実施例による別の警報方法のフローチャートである。
【図５】例示的な実施例による第一の警報装置のブロック図である。
【図６】例示的な実施例による判断モジュールのブロック図である。
【図７】例示的な実施例による別の判断モジュールのブロック図である。
【図８】例示的な実施例による監視ターゲット識別ユニットのブロック図である。
【図９】例示的な実施例による別の監視ターゲット識別ユニットのブロック図である。
【図１０】例示的な実施例による第二判断ユニットのブロック図である。
【図１１】例示的な実施例による第二の警報装置のブロック図である。
【図１２】例示的な実施例による第三の警報装置のブロック図である。
【図１３】例示的な実施例による確定モジュールのブロック図である。
【図１４】例示的な実施例による別の確定モジュールのブロック図である。
【図１５】例示的な実施例による第四の警報装置のブロック図である。
【図１６】例示的な実施例による第五の警報装置のブロック図である。
【発明を実施するための形態】
【００３５】
ここの図面は明細書に組み込まれ且つ本明細書の一部を構成し、本発明に該当する実施例を示し、明細書と共に本発明の原理を解釈することに用いられる。
【００３６】
ここで例示的な実施例を詳しく説明し、その例は、図面に示される。以下の説明が図面に関連する場合、他に示されない限り、異なる図面の同一の数字は、同じまたは類似の要素を表す。以下の例示的な実施例で説明された実施形態は、本発明と一致する全ての実施形態を代表しない。逆に、それらは、特許請求の範囲に詳しく説明され、本発明のいくつかの方面と一致する装置と方法の例に過ぎない。
【００３７】
図１は例示的な実施例による警報方法に関連する実施環境を示す図である。図１に示すように、当該実施環境は、サーバー１０１、スマート撮影装置１０２と端末１０３を含むことができる。サーバー１０１はサーバー、または若干のサーバーから構成されたサーバーグループ、またはクラウドコンピューティングサービスセンターであってよく、スマート撮影装置１０２は、スマートビデオカメラであってよく、端末１０３は、携帯電話、コンピュータ、タブレットデバイスなどであってよい。サーバー１０１とスマート撮影装置１０２がネットワークを介して接続することができ、サーバー１０１と端末１０３がネットワークを介して接続することもできる。サーバー１０１は、スマート撮影装置から送信された監視ビデオを受信し、端末に警報情報を送信するように構成される。スマート撮影装置１０２は、監視エリア内の監視ビデオを収集し、監視ビデオをサーバーに送信するように構成される。端末１０３は、サーバーから送信された警報情報を受信し、警報を行うように構成される。
【００３８】
図２は例示的な実施例による警報方法のフローチャートである。図２に示すように、当該方法は、サーバーに用いられ、以下のステップを含む。
【００３９】
ステップ２０１において、監視ビデオを取得する。
【００４０】
ステップ２０２において、監視ビデオの敏感エリアに監視ターゲットが存在するかどうかを判断する。
【００４１】
ステップ２０３において、敏感エリアに監視ターゲットが存在する場合、端末に警報情報を送信し、端末が警報を行うようにする。
【００４２】
本開示の実施例において、サーバーは、監視ビデオを取得し、且つ、監視ビデオの敏感エリアに監視ターゲットが存在するかどうかを判断し、敏感エリアに監視ターゲットが存在する場合、サーバーが端末に警報情報を送信し、端末が警報を行うようにし、それによって不安全なイベントの発生を予防する。
【００４３】
本開示の別の実施例において、監視ビデオの敏感エリアに監視ターゲットが存在するかどうかを判断することは、
監視ビデオに移動ターゲットが存在するかどうかを判断することと、
監視ビデオに移動ターゲットが存在する場合、移動ターゲットが監視ターゲットであるかどうかを判断することと、
移動ターゲットが前記監視ターゲットである場合、監視ターゲットが敏感エリアに位置するかどうかを判断することと、
監視ターゲットが敏感エリアに位置する場合、監視ビデオの敏感エリアに監視ターゲットが存在することを確定することとを含む。
【００４４】
ここで、サーバーは、監視ビデオに移動ターゲットが存在するかどうかを判断し、監視ビデオに移動ターゲットが存在する場合、サーバーは更に移動ターゲットが監視ターゲットであるかどうかを判断し、これにより、監視ビデオに監視ターゲットが存在するかどうかを有効に確定でき、さらに監視ターゲットが敏感エリアに位置するかどうかを有効に確定できる。
【００４５】
本開示の別の実施例において、監視ビデオの敏感エリアに監視ターゲットが存在するかどうかを判断することは、
監視ビデオの敏感エリアに監視ターゲットが存在するかどうかを判断することと、
敏感エリアに移動ターゲットが存在する場合、移動ターゲットが監視ターゲットであるかどうかを判断することと、
移動ターゲットが監視ターゲットである場合、監視ビデオの敏感エリアに監視ターゲットが存在するかどうかを確定することとを含む。
【００４６】
ここで、サーバーは、監視ビデオの敏感エリアに移動ターゲットが存在するかどうかを判断し、敏感エリアに移動ターゲットが存在する場合、更に移動ターゲットが監視ターゲットであるかどうかを判断し、これにより、敏感エリアに監視ターゲットが存在するかどうかを有効に確定でき、且つ、サーバーは、敏感エリア以外のエリアを検出する必要がなく、監視エリアにおける敏感エリア以外のエリアの検出結果に対する干渉を有効に回避し、検出効率と検出精度を向上させる。
【００４７】
本開示の別の実施例において、移動ターゲットが監視ターゲットであるかどうかを判断することは、
移動ターゲットの特徴を確定することと、
移動ターゲットの特徴と監視ターゲットの特徴とのマッチング度合いを確定することと、
マッチング度合いが指定された値より大きい場合、移動ターゲットを監視ターゲットとして確定することとを含む。。
【００４８】
移動ターゲットの特徴と監視ターゲットの特徴とのマッチング度合いが指定された値より大きいので、移動ターゲットの特徴と監視ターゲットの特徴との違いが比較的小さいことを示し、即ち、移動ターゲットは、監視ターゲットである可能性が高い。従い、移動ターゲットの特徴と監視ターゲットの特徴とのマッチング度合いに基づいて、移動ターゲットが監視ターゲットであるかどうかを有効に確定でき、監視ターゲットを確定する正確率が向上される。
【００４９】
本開示の別の実施例において、移動ターゲットの特徴を確定することは、
監視ビデオのビデオ画像において、移動ターゲットの所在エリアを切り取り、ターゲット画像を取得することと、
ターゲット画像に対して特徴抽出を行い、移動ターゲットの特徴を取得することとを含む。
【００５０】
ここで、サーバーが移動ターゲットの所在エリアを切り取り、ターゲット画像を取得することにより、サーバーがターゲット画像に対して特徴抽出を行い、移動ターゲットの特徴を取得することに便利を与えることができ、特徴抽出の効率が向上される。
【００５１】
本開示の別の実施例において、移動ターゲットの特徴と監視ターゲットとの特徴とのマッチング度合いを確定する前に、さらに、
端末から送信された設定情報を受信し、設定情報に監視ターゲット識別子情報が携帯されていることと、
監視ターゲット識別子情報に基づいて、記憶された履歴ビデオから、監視ターゲットの追跡ビデオを取得することと、
追跡ビデオの各フレーム画像から、監視ターゲットの追跡画像を取得することと、
監視ターゲットの追跡画像に対して特徴抽出を行い、監視ターゲットの特徴を取得することとを含む。
【００５２】
ここで、サーバーが監視ターゲットの追跡ビデオの各フレーム画像から、監視ターゲットの追跡画像を取得し、且つ、当該追跡画像に対して特徴抽出を行うことにより、特徴抽出の精度が向上される。
【００５３】
本開示の別の実施例において、設定情報にも監視ターゲットに対応する敏感エリア情報が携帯され、当該敏感エリア情報は、敏感エリアを取得することに用いられる。
【００５４】
ここで、設定情報に監視ターゲットに対応する敏感エリア情報が携帯されることにより、サーバーが当該敏感エリアに基づいて当該敏感エリアに監視ターゲットが存在するかどうかを確定することに便利を与えることができる。
【００５５】
本開示の別の実施例において、監視ターゲットが敏感エリアに位置するかどうかを判断することは、
監視ターゲットに対してターゲット追跡を行い、監視ターゲットの現時点の所在位置を取得することと、
監視ターゲットの現時点の所在位置に基づいて、監視ターゲットが敏感エリアに位置するかどうかを判断することとを含む。
【００５６】
監視ターゲットが敏感エリアに位置するかどうかを判断するために、サーバーは、監視ターゲットに対してターゲット追跡を行い、監視ターゲットの現時点の所在位置を取得する必要があり、監視ターゲットの現時点の所在位置に基づいて、監視ターゲットが敏感エリアに位置するかどうかを有効に確定できる。
【００５７】
上記のすべての技術的解決手段は、いずれかの組み合わせにより本開示の選択可能な実施例を形成することができるので、本発明の実施例で説明は、省略する。
【００５８】
図３は例示的な実施例による警報方法のフローチャートであり、図３に示すように、当該方法は、以下のステップを含む。
【００５９】
ステップ３０１において、サーバーに設定情報を送信し、当該設定情報に監視ターゲット識別子情報と監視ターゲットに対応する敏感エリア情報が携帯され、これにより、サーバーは、監視ビデオを取得し、且つ、監視ビデオの敏感エリアに監視ターゲットが存在する場合、警報情報を返す。
【００６０】
ステップ３０２において、サーバーから返された警報情報を受信した場合、警報情報に基づいて警報を行う。
【００６１】
本開示の実施例において、端末は、サーバーに設定情報を送信し、当該設定情報に監視ターゲット識別子情報と監視ターゲットに対応する敏感エリア情報が携帯され、これにより、サーバーは、監視ビデオを取得し、且つ、監視ビデオの敏感エリアに監視ターゲットが存在する場合、警報情報を返し、端末は、当該警報情報を受信した場合、警報を行うことができ、それによって、不安全な事件の発生を予防する。
【００６２】
本開示の別の実施例において、サーバーに設定情報を送信する前に、さらに、
履歴ビデオを取得し、履歴ビデオを再生することと、
履歴ビデオを再生する過程において、履歴ビデオのビデオ画像に基づいて、監視ターゲット識別子情報と監視ターゲットに対応する敏感エリア情報を確定することとを含む。
【００６３】
サーバーは敏感エリアに監視ターゲットが存在するかどうかを判断する必要があるため、サーバーは、敏感エリアと監視ターゲットを確定する必要があり、端末がサーバーから送信された履歴ビデオのビデオ画像に基づいて、監視ターゲット識別子情報と監視ターゲットに対応する敏感エリアを確定することにより、サーバーは、設定情報を受信した場合、当該設定情報に基づいて、敏感エリアと監視ターゲットを迅速に確定することができる。
【００６４】
本開示の別の実施例において、履歴ビデオのビデオ画像に基づいて、監視ターゲット識別子情報と監視ターゲットに対応する敏感エリア情報を確定することは、
履歴ビデオのビデオ画像に基づいて第一選択命令を受信した場合、第一選択命令により選択されたオブジェクトを監視ターゲットとして確定することと、
履歴ビデオのビデオ画像に基づいて第二選択命令を受信した場合、第二選択命令により選択されたエリアを監視ターゲットに対応する敏感エリアとして確定することと、
監視ターゲットの監視ターゲット識別子情報を取得し、および敏感エリアの敏感エリア情報を取得することとを含む。
【００６５】
監視ターゲットが敏感エリアに位置している場合、不安全なイベントの発生を防止するために、端末に対応するユーザーは、履歴ビデオのビデオ画像に基づいて、監視ターゲットと敏感エリアを選択する必要があり、サーバーは、監視ターゲットと敏感エリアを監視することが可能となるようにする。
【００６６】
本開示の別の実施例において、履歴ビデオのビデオ画像に基づいて、監視ターゲット識別子情報と監視ターゲットに対応する敏感エリア情報を確定することは、
履歴ビデオのビデオ画像で描かれた第一エリアとビデオ画像で選択されたターゲットオブジェクトを取得し、ターゲットオブジェクトがビデオ画像で描かれた第二エリアに含まれるオブジェクトであり、または、ターゲットオブジェクトがビデオ画像で検出された選択操作により選択されたオブジェクトであることと、
第一エリアとターゲットオブジェクトのうちの少なくとも一つで事前に設定されたジェスチャー操作が検出された場合、第一エリアを監視ターゲットに対応する敏感エリアとして確定し、およびターゲットオブジェクトを監視ターゲットとして確定することと、
監視ターゲットの監視ターゲット識別子情報を取得し、および敏感エリアの敏感エリア情報を取得することとを含む。
【００６７】
ここで、端末は、履歴ビデオのビデオ画像で描かれた第一エリアとビデオ画像で選択されたターゲットオブジェクトを取得し、且つ、第一エリアとターゲットオブジェクトのうちの少なくとも一つで事前に設定されたジェスチャー操作が検出された場合、第一エリアを監視ターゲットに対応する敏感エリアとして確定し、およびターゲットオブジェクトを監視ターゲットとして確定し、敏感エリアおよび監視ターゲットを簡単且つ直感的に確定でき、操作が簡単であり、且つ端末が監視ターゲットと敏感エリアを確定する効率は、向上される。
【００６８】
上記のすべての技術的解決手段は、いずれかの組み合わせにより本開示の選択可能な実施例を形成することができるので、本開示の実施例で説明は、省略する。
【００６９】
図４は例示的な実施例による警報方法のフローチャートであり、図４に示すように、当該方法は以下の下記ステップを含む。
【００７０】
ステップ４０１において、サーバーは、監視ビデオを取得する。
【００７１】
サーバーは、スマート撮影装置から当該監視ビデオを取得でき、当然、当該スマート撮影装置は、当該監視ビデオを他の装置に送信することももでき、それによって、サーバーは、当該他の装置から当該監視ビデオを取得することが可能となり、本開示の実施例でそれに対して具体的に限定しないと説明すべきである。
【００７２】
ここで、スマート撮影装置は、監視エリア内の監視ビデオを収集するように構成され、且つ、スマート撮影装置が監視エリア内の監視ビデオを収集するプロセスについては、関連技術を参考でき、本開示の実施例で詳しく説明しない。
【００７３】
また、スマート撮影装置は、有線ネットワークまたは無線ネットワークを介してサーバーまたは他の装置と通信することができ、スマート撮影装置が無線ネットワークを介してサーバーまたはその他の装置と通信する場合、スマート撮影装置は、内蔵されたワイヤレスフィディリティー（英語：Ｗｉｒｅｌｅｓｓ‐Ｆｉｄｅｌｉｔｙ、ＷＩＦＩと略称）、ブルートゥース（登録商標）または他の無線通信チップを介してサーバーまたは他の装置と通信することができ、本開示の実施例でそれに対して具体的に限定しない。
【００７４】
ステップ４０２において、サーバーは、監視ビデオの敏感エリアに監視ターゲットが存在するかどうかを判断する。
【００７５】
監視ターゲットが敏感エリアに位置する場合、不安全なイベントが発生するのを予防するために、サーバーは、監視ビデオの敏感エリアに監視ターゲットが存在するかどうかを判断する必要があり、サーバーが監視ビデオの敏感エリアに監視ターゲットが存在するかどうかを判断することは、下記の二つの方式がある。
【００７６】
第一方式：サーバーは、監視ビデオに移動ターゲットが存在するかどうかを判断し、監視ビデオに移動ターゲットが存在する場合、当該移動ターゲットが監視ターゲットであるかどうかを判断し、当該移動ターゲットが監視ターゲットである場合、当該監視ターゲットが敏感エリアに位置するかどうかを判断し、当該監視ターゲットが敏感エリアに位置する場合、監視ビデオの敏感エリアに監視ターゲットが存在することを確定する。
【００７７】
スマート撮影装置は、通常、固定され、即ち、当該スマート撮影装置は、固定された監視エリア内の監視ビデオを収集するので、この場合、監視ビデオに移動ターゲットが存在するかどうかを判断するために、当該固定監視エリアの背景に対して背景モデルを構築でき、それによって、監視ビデオの各フレームのビデオ画像を前記背景モデルと比較して、当該固定監視エリアのフォアグラウド画像を確定でき、フォアグラウド画像とは背景が静止状態であると仮定した場合の如何なる意味のある移動物体の画像である。
【００７８】
従って、サーバーが監視ビデオに移動ターゲットが存在しているかどうかを判断する操作は、監視ビデオの各フレームのビデオ画像に対して、サーバーが当該ビデオ画像における各画素点の画素値を取得し、当該各画素点の画素値と指定された背景モデルに基づいて、当該ビデオ画像にフォアグラウド画素点が存在するかどうかを判断し、当該ビデオ画像にフォアグラウド画素が存在する場合、当該監視ビデオに移動ターゲットが存在することを確定し、そうでない場合、当該監視ビデオに移動ターゲットが存在しないことを確定することであってよい。
【００７９】
ここで、指定された背景モデルは、ビデオ画像における各背景画素点の画素値の時間領域における分布特徴を表すように構成され、且つ、指定された背景モデルは、混合ガウスモデルであってよく、当然、指定された背景モデルは、他のモデルであっても良く、本開示の実施例でそれに対して具体的に限定しない。
【００８０】
また、指定された背景モデルは、予め構築されることができ、例えば、予め監視ビデオの指定されたビデオ画像における各画素点の画素値の時間領域における分布状況に基づいて、指定された背景モデルを構築することができ、当然、他の方式で指定された背景モデルを構築することもでき、本開示の実施例で同様にそれに対して具体的に限定しない。
【００８１】
色特徴が画像の本質特徴の一つであり、色特徴が画像の画素点の画素値として表現されることができ、画素値が画像の画素点の位置、色、輝度などの値であり、従って、サーバーは、ビデオ画像の各画素点の画素値と指定された背景モデルに基づいて、当該ビデオ画像にフォアグラウド画素点が存在しているかどうかを判断することができる。当該ビデオ記画像にフォアグラウド画素点が存在する場合、当該ビデオ画像に意味のある移動物体が存在していることを示し、即ち、監視ビデオに移動ターゲットが存在している。
【００８２】
ここで、サーバーは、各画素点の画素値と指定された背景モデルに基づいて、当該ビデオ画像にフォアグラウド画素点が存在しているかどうかを判断する場合、サーバーは、各画素点の画素値を指定された背景モデルとマッチングし、各画素点の画素値が何れも指定された背景モデル成功にマッチングした場合、当該ビデオ画像にフォアグラウド画素点が存在しないことを確定し、そうでない場合、当該ビデオ画像にフォアグラウド画素点が存在することを確定し、且つ、当該フォアグラウド画素が指定された背景モデルと成功にマッチングしない画素値に対応する画素点である。
【００８３】
また、サーバーが各画素点の画素値と指定された背景モデルに基づいてマッチングするプロセスについては、関連技術を参考でき、本開示の実施例で詳しく説明しない。
【００８４】
更に、サーバーは、監視ビデオに移動ターゲットが存在しないことを確定した後、サーバーは、当該ビデオ画像の各画素点の画素値に基づいて、指定された背景モデルを更新することができる。
【００８５】
指定された背景モデルがサーバーによって予め構築されるため、且つ、照度変化、カメラぶれなどの予測不可能な要因の影響ので、背景が変化してしまい、従って、当該予測不可能な要因による変化の累積により、指定された背景モデルの移動ターゲットに対する検出に誤差が発生するのを避けるために、サーバーは、監視ビデオに移動ターゲットが存在しないことを確定した場合、当該ビデオ画像の各画素点の画素値に基づいて、当該指定された背景モデルをリアルタイムに更新することができ、指定された背景モデルが自己適応性を備えるようにし、絶えずに現時点の背景画素点の画素値の時間領域における分布特徴に近づき、さらに、移動ターゲットの検出精度が向上される。
【００８６】
サーバーがビデオ画像の各画素点の画素値に基づいて、指定された背景モデルを更新するプロセスにつては、関連技術を参考でき、本開示の実施例で詳しく説明しないと説明すべきである。
【００８７】
ここで、監視ビデオに移動ターゲットが存在する場合、サーバーは、当該移動ターゲットが監視ターゲットであるかどうかを判断することは、ステップ（１）−（３）を含むことができる。
【００８８】
（１）、サーバーは、当該移動ターゲットの特徴を確定する。
【００８９】
監視ビデオに移動ターゲットが存在する場合、当該移動ターゲットが監視ターゲットであるかどうかを確定するために、サーバーは、当該移動ターゲットの特徴を確定する必要があり、サーバーが当該移動ターゲットの特徴を確定する操作は、サーバーが監視ビデオのビデオ画像に、当該移動ターゲットの所在エリアを切り取り、ターゲット画像を取得し、且つ、ターゲット画像に対して特徴抽出を行い、当該移動ターゲットの特徴を取得することであってよい。
【００９０】
ここで、サーバーは、監視ビデオのビデオ画像に、当該移動ターゲットの所在エリアを切り取り、ターゲット画像を取得した場合、サーバーは、当該移動ターゲットの所在するビデオ画像から、当該移動ターゲットの外接矩形を切り取り、且つ、当該外接矩形を当該移動ターゲットの監視ビデオでの所在する画像エリア、即ちターゲット画像として確定することができる。または、サーバーは、当該移動ターゲットの所在するビデオ画像から、フォアグラウド画素点を取得し、且つ、取得されたフォアグラウド画素点を組み合わせて、当該移動ターゲットの監視ビデオでの所在する画像エリア、即ちターゲット画像を取得することができる。または、サーバーは、当該移動ターゲットの所在するビデオ画像における背景画素点をクリアし、当該移動ターゲットの監視ビデオでの所在する画像領域、即ちターゲット画像として取得することができ、その中、背景画素点は、指定された背景モデルと成功にマッチングした画素値に対応する画素点である。
【００９１】
また、サーバーは、ターゲット画像に対して特徴抽出を行う場合、指定された特徴抽出アルゴリズムによりターゲット画像に対して特徴抽出を行うことができ、且つ、指定された特徴抽出アルゴリズムがウェーブレット変換法、最小二乗法、境界法ヒストグラム法などであってよく、本開示の実施例でそれに対して具体的に限定しない。サーバーが指定された特徴抽出アルゴリズムによりターゲット画像に対して特徴抽出を行うプロセスについては、関連技術を参考でき、本開示の実施例で詳しく説明しない。
【００９２】
移動ターゲットの特徴は、一つまたは複数であってよく、且つ、当該特徴が色特徴、テクスチャ特徴、形状特徴などであってよく、本開示の実施例でそれに対して具体的に限定しないと説明すべきである。
【００９３】
（２）、サーバーは、移動ターゲットの特徴と監視ターゲットの特徴とのマッチング度合いを確定する。
【００９４】
移動ターゲットが監視ターゲットであるかどうかを確定するために、サーバーは、移動ターゲットの特徴と監視ターゲットの特徴をマッチングして、移動ターゲットの特徴と監視ターゲットの特徴とのマッチング度合いを確定する必要があり、サーバーが移動ターゲットの特徴と監視ターゲットの特徴とのマッチング度合いを確定する場合、サーバーは、移動ターゲットの特徴と監視ターゲットの特徴を別々にマッチングし、成功にマッチングされた特徴の数を確定し、その後、成功にマッチングされた特徴の数と監視ターゲットの特徴の数との比を計算し、且つ、当該比を移動ターゲットの特徴と監視ターゲットの特徴とのマッチング度合いとして確定することができる。または、移動ターゲットの特徴が一つである場合、サーバーは、移動ターゲットの特徴と監視ターゲットの特徴との類似度を確定し、特徴類似度を取得し、且つ、当該特徴類似度を移動ターゲットの特徴と監視ターゲットの特徴とのマッチング度合いとして確定し、移動ターゲットの特徴が複数である場合、サーバーは、別々に移動ターゲットの複数の特徴と監視ターゲットの複数の特徴との類似度を確定し、複数の特徴の類似度を取得し、その後、当該複数の特徴の類似度の加重値を計算し、且つ、当該加重値を移動ターゲットの特徴と監視ターゲットの特徴とのマッチング度合いとして確定する。
【００９５】
監視ターゲットの特徴は、一つまたは複数であってよく、本開示の実施例でそれに対して限定しないと説明すべきである。
【００９６】
また、サーバーが移動ターゲットの特徴と監視ターゲットの特徴をマッチングするプロセスについては、関連技術を参考でき、本開示の実施例でそれに対し詳しく説明しない。
【００９７】
例えば、成功にマッチングされた特徴の数が４つであり、監視ターゲットの特徴の数が５つである場合、成功にマッチングされた特徴の数と監視ターゲットの特徴の数との比は、０．８であり、サーバーは、０．８を移動ターゲットの特徴と監視ターゲットの特徴とのマッチング度合いとして確定できる。
【００９８】
ここで、サーバーは、当該複数の特徴の類似度の加重値を計算する場合、当該複数の特徴の類似度に当該複数特徴のそれぞれに対応する重みを掛け、複数の値を取得し、且つ、当該複数の値を加算し、当該複数の特徴の類似度の加重値を取得することができる。
【００９９】
当該複数の特徴のそれぞれに対応する重みとは、移動ターゲットが監視ターゲットであるかどうかを判断する場合、当該複数の特徴の各々が提供できる参考作用の大きさであり、且つ、当該複数の特徴の各々に対応する重みは、予め設定されることができると説明すべきである。
【０１００】
例えば、移動ターゲットの特徴が一つであり、且つ、当該特徴が色特徴であり、サーバーは、移動ターゲットの色特徴と監視ターゲットの色特徴をマッチングし、色特徴の類似度０．８を取得した場合、サーバーは、０．８を移動ターゲットの特徴と監視ターゲットの特徴とのマッチング度合いとして確定できる。
【０１０１】
また、例えば、移動ターゲットの特徴が複数であり、且つ、当該複数の特徴が色特徴とテクスチャ特徴であり、サーバーは、移動ターゲットの色特徴と監視ターゲットの色特徴をマッチングし、色特徴の類似度０．８を取得し、且つ、移動ターゲットのテクスチャ特徴と監視ターゲットのテクスチャ特徴をマッチングし、テクスチャ特徴の類似度０．６を取得し、仮に色特徴に対応する重みが１／２であり、テクスチャ特徴に対応する重みが１／２とした場合、色特徴の類似度とテクスチャ特徴の類似度との加重値は、１／２×０．８＋１／２×０．６＝０．７となり、サーバーは、０．７を移動ターゲットの特徴と監視ターゲットの特徴とのマッチング度合いとして確定できる。
【０１０２】
サーバーが移動ターゲットの特徴と監視ターゲットの特徴との類似度を確定するプロセスについては、関連技術を参考でき、本開示の実施例で詳しく説明しないと説明すべきである。
【０１０３】
更に、サーバーは、移動ターゲットと監視ターゲットとのマッチング度合いを確定する前に、端末から送信された設定情報を受信し、当該設定情報に監視ターゲット識別子情報が携帯され、監視ターゲット識別子情報に基づいて、記憶された履歴ビデオから、監視ターゲットの追跡ビデオを取得し、追跡ビデオの各フレームのビデオ画像から監視ターゲットの追跡画像取得し、監視ターゲットの追跡画像に対して特徴抽出を行い、監視ターゲットの特徴を取得することができる。
【０１０４】
ここで、当該設定情報にも監視ターゲットに対応する敏感エリア情報が携帯され、当該敏感エリア情報は、敏感エリアを取得することに用いられる。
【０１０５】
監視ターゲット識別子情報により、異なる監視ターゲットを識別でき、例えば、監視ターゲットが人間である場合、監視ターゲット識別子情報は、当該人物の顔特徴などであってよく、監視ターゲットが固定形状を持っている物体である場合、監視ターゲット識別子情報は、当該物体の形状であってよく、監視ターゲットがペットである場合、監視ターゲット識別子情報は、ペットに携帯された二次元コードをスキャンすることで取得されることができ、当然、監視ターゲット識別子情報は、さらに、監視ターゲットの画像情報などであってよく、本開示の実施例でそれに対して詳しく限定しないと説明すべきである。
【０１０６】
また、敏感エリア情報により、それぞれの異なる敏感エリアを区別でき、且つ、当該敏感エリア情報は、当該敏感エリアのエッジ情報であってよく、当該エッジ情報は、当該敏感エリアのエッジがビデオ画像で経過した画素点の座標であってよく、当然、当該敏感エリア情報は、他の形態を持つ情報であってよく、本開示の実施例でそれに対して詳しく限定しないと説明すべきである。
【０１０７】
また、サーバーは、監視ターゲット識別子情報に基づいて、記憶された履歴ビデオから監視ターゲットの追跡ビデオを取得する場合、監視ターゲット識別子情報に基づいて、指定された追跡アルゴリズムにより、記憶された履歴ビデオから監視ターゲットの追跡ビデオを取得することができ、且つ、指定された追跡アルゴリズムが粒子群最適化アルゴリズム、連続適応型平均値シフトアルゴリズム（英語：Ｃｏｎｔｉｎｕｏｕｓｌｙ  Ａｄａｐｔｉｖｅ  Ｍｅａｎ−ＳＨＩＦＴ、略称：ＣａｍＳｈｉｆｔ）アルゴリズムなどであってよく、本開示の実施例でそれに対して詳しく限定しない。サーバーが監視ターゲット識別子情報に基づいて、指定された追跡アルゴリズムにより、記憶された履歴ビデオから監視ターゲットの追跡ビデオを取得するプロセスについては、関連技術を参考できるので、本開示の実施例でそれに対して詳しく説明しない。
【０１０８】
また、サーバーは、監視ターゲットの追跡画像に対して特徴抽出を行う場合、指定された特徴抽出アルゴリズムにより、監視ターゲットの追跡画像に対して特徴抽出を行うことができるが、サーバーが指定された特徴抽出アルゴリズムにより、監視ターゲットの追跡画像に対して特徴抽出を行うプロセスについては、関連技術を参考できるので、本開示の実施例でそれに対して詳しく説明しない。
【０１０９】
端末は、設定情報を送信する前に、履歴ビデオを取得でき、例えば、サーバーに履歴ビデオ取得請求を送信し、サーバーが履歴ビデオを返すにようにし、その後、端末は、当該履歴ビデオを再生し、且つ、当該履歴ビデオの再生プロセスにおいて、当該履歴ビデオのビデオ画像に基づいて、監視ターゲット識別子情報と監視ターゲットに対応する敏感エリア情報を確定すると説明すべきである。
【０１１０】
ここで、端末が当該履歴ビデオのビデオ画像に基づいて、監視ターゲット識別子情報と監視ターゲットに対応する敏感エリア情報を確定する操作は、端末が当該履歴ビデオのビデオ画像に基づいて第一選択命令を受信した場合、第一選択命令により選択されたオブジェクトを監視ターゲットとして確定し、端末が履歴ビデオのビデオ画像に基づいて第二選択命令を受信した場合、第二選択命令により選択されたエリアを監視ターゲットに対応する敏感エリアとして確定し、その後、端末が監視ターゲットの監視ターゲット識別子情報および敏感エリアの敏感エリア情報を取得することを含むことができる。または、端末は、履歴ビデオのビデオ画像で描かれた第一エリアと当該ビデオ像画像で選択されたターゲットオブジェクトを取得し、ターゲットオブジェクトが当該ビデオ画像で描かれた第二エリアに含まれるオブジェクトであり、または、ターゲットオブジェクトが当該ビデオ画像で検出された選択操作により選択されたオブジェクトであり、第一エリアとターゲットオブジェクトのうちの少なくとも一つで事前に設定されたジェスチャー操作動作が検出された場合、第一エリアを監視ターゲットの敏感エリアとして確定し、ターゲットオブジェクトを監視ターゲットとして確定し、その後、端末は、監視ターゲットの監視ターゲット識別子情報および敏感エリアの敏感エリア情報を取得する。
【０１１１】
ここで、第一選択命令は、当該履歴ビデオのビデオ画像に含まれるオブジェクトから監視ターゲットを選択することに用いられ、且つ、当該第一選択命令は、ユーザによってトリガされることができ、当該ユーザは、第一指定操作によりトリガすることができ、第一指定操作は、クリック操作、ダブルクリック操作などであってよく、本開示の実施例でそれに対して詳しく限定しない。
【０１１２】
また、第二選択命令は、当該履歴ビデオのビデオ画像に含まれるエリアから監視ターゲットに対応する敏感エリアを選択することに用いられ、且つ、当該第二選択命令は、ユーザによってトリガされることができ、当該ユーザは、第二指定操作によりトリガすることができ、第二指定操作は、スライド操作などであってよく、本開示の実施例でそれに対して詳しく限定しない。
【０１１３】
ここで、第一エリアと第二エリアは、いずれもクローズドエリアまたはクローズドに近いエリアであり、第一エリアは、一つまたは複数のエリアを含むことができ、第二エリアは、一つまたは複数のエリアを含むこともでき、且つ、第一エリアは、第二エリアを含むことができ、第二エリアを含まなくても良く、本開示の実施例でそれに対して詳しく限定しない。
【０１１４】
また、選択操作は、当該ビデオ画像に含まれるオブジェクトからターゲットオブジェクトを選択することに用いられ、且つ、当該選択操作は、ユーザによってトリガされることができ、当該選択操作は、クリック操作、ダブルクリック操作などであってよく、本開示の実施例でそれに対して詳しく限定しない。
【０１１５】
また、事前に設定されたジェスチャー操作は、監視ターゲットと敏感エリアを確定することに用いられ、且つ、当該事前に設定されたジェスチャー操作は、ユーザによってトリガされることができ、当該事前に設定されたジェスチャー操作は、バツ描き、チェック操作などであってよく、本開示の実施例でそれに対して詳しく限定しない。
【０１１６】
例えば、事前に設定されたジェスチャー操作がバツ描き動作であり、ユーザは、履歴ビデオのビデオ画像で第一エリアを描き、且つ、当該ビデオ画像で第二エリアを描き、当該第二エリアがターゲットオブジェクトを含み、その後、ユーザは、当該第一エリアまたは当該第二のエリアでバツを描き、または当該第一エリアと当該第二エリアで同時にバツを描く場合、端末は、当該第一エリアを敏感エリアとして確定し、当該第二エリアに含まれるターゲットオブジェクトを監視ターゲットとして確定することができ、その後、サーバーは、当該監視ターゲットの監視ターゲット識別子情報および当該敏感エリアの敏感エリア識別子情報を取得できる。
【０１１７】
また、例えば、選択操作がクリック動作であり、事前に設定されたたジェスチャー操作がバツ描き操作であり、ユーザは、履歴ビデオのビデオ画像で第一エリアを描き、且つ、当該ビデオ画像におけるターゲットオブジェクトをクリックし、その後、ユーザは、当該第一エリアまたはターゲットオブジェクトででバツを描き、または当該第一エリアと当該ターゲットオブジェクトで同時にバツを描く場合、端末は、当該第一エリアを敏感エリアとして確定し、当該ターゲットオブジェクトを監視ターゲットとして確定することができ、その後、サーバーは、当該監視ターゲットの監視ターゲット識別子情報および当該敏感エリアの敏感エリア識別子情報を取得できる。
【０１１８】
本開示の実施例において、ユーザは、ビデオ画像で第一エリアを手動で描き、およびターゲットオブジェクトを手動で選択することができ、且つ、事前に設定されたジェスチャー操作により当該第一エリアを敏感エリアとして確定し、当該ターゲットオブジェクトを監視ターゲットとして確定し、監視ターゲットおよび敏感エリアを簡単且つ、直感的に確定することができ、これにより、端末が監視ターゲットと敏感エリアを確定する効率が向上されると説明すべきである。
【０１１９】
（３）、移動ターゲットの特徴と監視ターゲットの特徴とのマッチング度合いが指定された値より大きい場合、サーバーは、当該移動ターゲットが監視ターゲットであることを確定し、そうでない場合、サーバーは、当該移動ターゲットが監視ターゲットではないことを確定する。
【０１２０】
移動ターゲットの特徴と監視ターゲットの特徴とのマッチング度合いが指定された値より大きい場合、移動ターゲットの特徴と監視ターゲットの特徴との違いが小さいことを示し、即ち、移動ターゲットが監視ターゲットである可能性が非常に高い場合、サーバーは、当該移動ターゲットが監視ターゲットであることを確定できる。移動ターゲットの特徴と監視ターゲットの特徴とのマッチング度合いが指定された値以下である場合、移動ターゲットの特徴と監視ターゲットの特徴との違いが大きいことを示し、即ち、移動ターゲットが監視ターゲットである可能性が非常に低い場合、サーバーは、当該移動ターゲットが監視ターゲットではないことを確定できる。
【０１２１】
指定された値は、事前に設定されることができ、例えば、指定された値は、０．７、０．８、０．９などであってよく、本開示の実施例でそれに対して詳しく限定しないと説明すべきである。
【０１２２】
例えば、指定された値が０．７であり、移動ターゲットの特徴と監視ターゲットの特徴とのマッチング度合いが０．８であり、０．８＞０．７のため、サーバーは、当該移動ターゲットが監視ターゲットであることを確定できる。
【０１２３】
また、例えば、移動ターゲットと監視ターゲットとの特徴マッチング度合いが０．６であり、０．６＜０．７のため、サーバーは、前記移動ターゲットが監視ターゲットではないことを確定できる。
【０１２４】
ここで、当該移動ターゲットが監視ターゲットである場合、サーバーが、監視ターゲットが敏感エリアに位置しているかどうかを判断する操作は、サーバーが監視ターゲットに対してターゲット追跡を行い、監視ターゲットの所在位置を取得し、さらに監視ターゲットの現時点の所在位置に基づいて、監視ターゲットが敏感エリアに位置しているかどうかを判断することであってよい。
【０１２５】
ここで、サーバーは、監視ターゲットに対してターゲット追跡を行い、監視ターゲットの現時点の所在位置を取得した場合、サーバーは、監視ターゲットに対してターゲット追跡を行い、監視ターゲットの追跡画像を取得し、且つ、当該追跡画像と指定された座標システムに基づいて、監視ターゲットの現時点の所在位置を確定することができる。
【０１２６】
また、指定された座標システムは、予め構築されることができ、且つ、指定された座標システムは、スマート撮影装置の監視エリアに基づいて構築されることができ、当然、指定された座標システムは、他の方式により構築されることもでき、例えば、スマート撮影装置のレンズに基づいて構築されることができ、本開示の実施例でそれに対して詳しく限定しない。
【０１２７】
サーバーは、当該追跡画像と指定された座標システムに基づいて、監視ターゲットの所在位置を確定する場合、サーバーは、当該追跡画像と指定された座標システムに基づいて、指定された測位アルゴリズムにより監視ターゲットの現時点の所在位置を確定することができると説明すべきである。当該指定された測位アルゴリズムは、予め設定されることができ、且つ、当該指定された測位アルゴリズムは、領域成長アルゴリズム、領域拡張アルゴリズムなどであってよく、本開示の実施例でそれに対して詳しく限定しない。サーバーが当該追跡画像および指定された座標システムに基づいて、指定された測位アルゴリズムにより監視ターゲットの現時点の所在位置を確定するプロセスについては、関連技術を参考できるので、本開示の実施例で詳しく説明しない。
【０１２８】
ここで、サーバーは、監視ターゲットの現時点の所在位置に基づいて、監視ターゲットが敏感エリアに位置しているかどうかを判断する場合、サーバーは、監視ターゲットの現時点の所在位置に基づいて、監視ターゲットが現時点で位置するターゲットエリアを確定し、且つ、監視ターゲットが現時点で位置するターゲットエリアと敏感エリアに重複エリアが存在するかどうかを判断し、監視ターゲットが現時点で位置するターゲットエリアと敏感エリアに重複エリアが存在する場合、サーバーは、監視ターゲットが敏感エリアに位置することを確定し、そうでない場合、サーバーは、監視ターゲットが敏感エリアに位置しないことを確定する。
【０１２９】
サーバーが、監視ターゲットが現時点で位置するターゲットエリアと敏感エリアに重複エリアが存在するかどうかを判断するプロセスについては、関連技術を参考できるので、本開示の実施例で詳しく説明しないと説明すべきである。
【０１３０】
第二方式：サーバーは、監視ビデオの敏感エリアに移動ターゲットが存在しているかどうかを判断し、当該敏感エリアに移動ターゲットが存在する場合、当該移動ターゲットが監視ターゲットであるかどうかを判断し、当該移動ターゲットが監視ターゲットである場合、当該監視ビデオの敏感エリアに監視ターゲットが存在していることを確定する。
【０１３１】
敏感エリアが一般的に固定されるため、この場合、当該敏感エリアに移動ターゲットが存在しているかどうかを判断するために、当該敏感エリアにおける背景モデルに対してエリア背景モデルを構築することができ、それによって当該敏感エリアのエリア画像と当該エリア背景モデルを比較して、当該敏感エリアにおけるフォアグラウド画像を確定することができ、フォアグラウド画像とは仮に背景が静止であるとした場合のいかなる意味のある移動ターゲットの画像である。
【０１３２】
従って、サーバーが監視ビデオの敏感エリアに移動ターゲットが存在しているかどうかを判断する操作は、監視ビデオにおける各フレームのビデオ画像に対して、敏感エリアを切り取り、敏感エリアのエリア画像を取得し、サーバーが当該エリア画像における各画素点の画素値を取得し、当該各画素点の画素値および指定されたエリア背景モデルに基づいて、当該エリア画像にフォアグラウド画素点が存在しているかどうかを判断し、当該エリア画像にフォアグラウド画素点が存在する場合、当該監視ビデオの敏感エリアに移動ターゲットが存在していることを確定し、そうでない場合、当該監視ビデオの敏感エリアに移動ターゲットが存在しないことを確定することであってよい。
【０１３３】
ここで、指定されたエリア背景モデルは、敏感エリアのエリア画像における各背景画素の画素値の時間領域における分布特徴を表すことに用いられ、且つ、指定されたエリア背景モデルは、混合ガウスモデルであってよく、当然、指定されたエリア背景モデルは、他のモデルであってよく、本開示の実施例でそれに対して限定しない。
【０１３４】
また、指定されたエリア背景モデルは、予め構築されることができ、例えば、予め敏感エリアの指定されたエリア画像における各画素点の画素値の時間領域における分布状況に基づいて、指定されたエリア背景モデルを構築することができ、当然、他の方式で指定されたエリア背景モデルを構築することもでき、本開示の実施例でそれに対して限定しない。
【０１３５】
サーバーがエリア画像における各画素点の画素値と指定されたエリア背景モデルに基づいて、当該エリア画像にフォアグラウド画素点が存在しているかどうかを判断するプロセスについては、ステップ４０２の第一方式の判断プロセスと類似するので、本開示の実施例でそれに対して詳しく説明しない。
【０１３６】
更に、サーバーは、監視ビデオの敏感エリアに移動ターゲットが存在しないことを確定した後、サーバーは、さらに当該エリア画像における各画素点の画素値に基づいて、指定されたエリア背景モデルを更新することができる。
【０１３７】
ここで、当該敏感エリアに移動ターゲットが存在する場合、サーバーが、当該移動ターゲットが監視ターゲットであるかどうかを判断するプロセスは、ステップ４０２の第一方式での判断プロセスと類似するので、本開示の実施例でそれに対して詳しく説明しない。
【０１３８】
第二方式において敏感エリアのエリア画像を検出し、当該敏感エリアに監視ターゲットが存在しているかどうかを確定するだけでよく、それによってビデオ画像内の敏感エリア以外のエリアの画像の検出結果に対する妨害を有効に回避し、検出効率および検出精度を向上させると説明すべきである。
【０１３９】
ステップ４０３において、監視ビデオの敏感エリアに監視ターゲットが存在する場合、サーバーは、端末に警報情報を送信し、端末が警報を行うようにする。
【０１４０】
監視ビデオの敏感エリアに監視ターゲットが存在する場合、不安全なイベントの発生を予防するために、サーバーは、端末に警報情報を送信することができ、当該警報情報は、監視ターゲットが敏感エリアに位置していることをユーザーに通知することに用いられる。
【０１４１】
端末は、有線または無線ネットワークを介してサーバーと接続することができる。
【０１４２】
また、端末が警報を行う場合、端末に設置されたスピーカーで直接警報情報を再生でき、当然、端末は、他の方式で警報を行うこともできるが、本開示の実施例でそれに対して詳しく限定しない。
【０１４３】
本開示の実施例において、サーバーは、監視ビデオを取得し、監視ビデオの敏感エリアに監視ターゲットが存在しているかどうかを判断し、当該敏感エリアに監視ターゲットが存在する場合、サーバーは、端末に警報情報を送信し、端末が警報を行うようにし、それによって不安全なイベントの発生を予防する。
【０１４４】
図５は例示的な実施例による警報装置のブロック図である。図５を参照し、当該装置は、取得モジュール５０１、判断モジュール５０２、送信モジュール５０３を含む。
【０１４５】
取得モジュール５０１は、監視ビデオを取得するように構成される。
【０１４６】
判断モジュール５０２は、監視ビデオの敏感エリアに監視ターゲットが存在しているかどうかを判断するように構成される。
【０１４７】
送信モジュール５０３は、敏感エリアに監視ターゲットが存在する場合、端末に警報情報を送信し、端末が警報を行うようにするように構成される。
【０１４８】
本開示の別の実施例において、図６を参照し、当該判断モジュール５０２は、第一判断ユニット５０２１、監視ターゲット識別ユニット５０２２、第二判断ユニット５０２３、第一確定ユニット５０２４を含む。
【０１４９】
第一判断ユニット５０２１は、監視ビデオに移動ターゲットが存在しているかどうかを判断するように構成される。
【０１５０】
監視ターゲット識別ユニット５０２２は、監視ビデオに移動ターゲットが存在する場合、移動ターゲットが監視ターゲットであるかどうかを判断するように構成される。
【０１５１】
第二判断ユニット５０２３は、移動ターゲットが監視ターゲットである場合、監視ターゲットが敏感エリアに位置しているかどうかを判断するように構成される。
【０１５２】
第一確定ユニット５０２４は、監視ターゲットが敏感エリアに位置する場合、監視ビデオの敏感エリアに監視ターゲットが存在していることを確定するように構成される。
【０１５３】
本開示の別の実施例において、図７を参照し、当該判断モジュール５０２は、第三判断ユニット０２５、監視ターゲット識別ユニット５０２２、第二確定ユニット５０２６を含む。
【０１５４】
第三判断ユニット５０２５は、監視ビデオの敏感エリアに移動ターゲットがあるかどうかを判断するように構成される。
【０１５５】
監視ターゲット識別ユニット５０２２は、敏感エリアに移動ターゲットが存在する場合、移動ターゲットが監視ターゲットであるかどうかを判断するように構成される。
【０１５６】
第二確定ユニット５０２６は、移動ターゲットが監視ターゲットである場合、監視ビデオの敏感エリアに監視ターゲットが存在していることを確定するように構成される。
【０１５７】
本開示の別の実施例において、図８を参照し、当該監視ターゲット識別ユニット５０２２は、第一確定サブユニット５０２２１、第二確定サブユニット５０２２２、第三確定サブユニット５０２２３を含む。
【０１５８】
第一確定サブユニット５０２２１は、移動ターゲットの特徴を確定するように構成される。
【０１５９】
第二確定サブユニット５０２２２は、移動ターゲットと監視ターゲットの特徴とのマッチング度合いを確定するように構成される。
【０１６０】
第三確定サブユニット５０２２３は、マッチング度合いが指定された値より大きい場合、移動ターゲットが監視ターゲットであることを確定するように構成される。
【０１６１】
本開示の別の実施例において、当該第一確定サブモジュール５０２２１は、
監視ビデオに移動ターゲットが存在する場合、監視ビデオのビデオ画像で、移動ターゲットの所在エリアを切り取り、ターゲット画像を取得し、
ターゲット画像に対して特徴抽出を行い、移動ターゲットの特徴を取得するように構成される。
【０１６２】
本開示の別の実施例において、図９を参照し、当該監視ターゲット識別ユニット５０２２は、さらに、受信サブユニット５０２２４、第一取得サブユニット５０２２５、第二取得サブユニット５０２２６、抽出サブユニット５０２２７を含む。
【０１６３】
受信サブユニット５０２２４は、端末から送信された設定情報を受信するように構成され、設定情報に監視ターゲット識別子情報が携帯される。
【０１６４】
第一取得サブユニット５０２２５は、監視ターゲット識別子情報に基づいて、記憶された履歴ビデオから監視ターゲットの追跡ビデオを取得するように構成される。
【０１６５】
第二取得サブユニット５０２２６は、追跡ビデオの各フレームのビデオ画像から、監視ターゲットの追跡画像を取得するように構成される。
【０１６６】
抽出サブユニット５０２２７は、監視ターゲットの追跡画像に対して特徴抽出を行い、監視ターゲットの特徴を取得するように構成される。
【０１６７】
本開示の別の実施例において、当該設定情報にも監視ターゲットに対応する敏感エリア情報が携帯され、当該敏感エリア情報は、敏感エリアを取得することに用いられる。
【０１６８】
本開示の別の実施例において、図１０を参照し、当該第二判断モジュール５０２３は、追跡サブユニット５０２３１と判断サブユニット５０２３２を含む。
【０１６９】
追跡サブユニット５０２３１は、移動ターゲットが監視ターゲットである場合、監視ターゲットに対してターゲット追跡を行い、監視ターゲットの現在点の所在位置を取得するように構成される。
【０１７０】
判断サブユニット５０２３２は、監視ターゲットの現在点の所在位置に基づいて、監視ターゲットが敏感エリアに位置するかどうかを判断するするように構成される。
【０１７１】
本開示の実施例において、サーバーは、監視ビデオを取得し、監視ビデオの敏感エリアに監視ターゲットが存在しているかどうかを判断し、敏感エリアに監視ターゲットが存在する場合、サーバーは、端末に警報情報を送信し、端末が警報を行うようにし、不安全なイベントの発生を予防する。
【０１７２】
前記実施例における装置に関し、その中の各モジュールが操作を実行する具体的な方式は、当該方法に関する実施例で詳しく説明されたため、ここで詳細に説明しない。
【０１７３】
図１１は例示的な実施例による警報装置のブロック図である。図１１を参照し、当該装置は、第一送信モジュール１１０１と警報モジュール１１０２を含む。
【０１７４】
第一送信モジュール１１０１は、サーバーに設定情報を送信するように構成され、設定情報に監視ターゲット識別子情報と敏感エリア情報が携帯され、サーバーが監視ビデオを取得し、監視ビデオの敏感エリアに監視ターゲットが存在する場合、警報情報を返すようにする。
【０１７５】
警報モジュール１１０２は、サーバーから返された警報情報を受信した場合、警報情報に基づいて警報を行うように構成される。
【０１７６】
本開示の別の実施例において、図１２を参照し、当該装置は、さらに取得モジュール１１０３、再生モジュール１１０４、確定モジュール１１０５を含む。
【０１７７】
取得モジュール１１０３は、履歴ビデオを取得するように構成される。
【０１７８】
再生モジュール１１０４は、履歴ビデオを再生するように構成される。
【０１７９】
確定モジュール１１０５は、履歴ビデオの再生過程において、履歴ビデオのビデオ画像に基づいて、監視ターゲット識別子情報と監視ターゲットに対応する敏感エリア情報を確定するように構成される。
【０１８０】
本開示の別実施例において、図１３を参照し、当該確定モジュール１１０５は、第一確定ユニット１１０５１、第二確定ユニット１１０５２、第一取得ユニット１１０５３を含む。
【０１８１】
第一確定ユニット１１０５１は、履歴ビデオの再生過程において、履歴ビデオのビデオ画像に基づいて第一選択命令を受信した場合、第一選択命令により選択されたオブジェクトを監視ターゲットとして確定するように構成される。
【０１８２】
第二確定ユニット１１０５２は、履歴ビデオのビデオ画像に基づいて第二選択命令を受信した場合、第二選択命令により選択されたオブジェクトを監視ターゲットとして確定するするように構成される。
【０１８３】
第一取得ユニット１１０５３は、監視ターゲットの監視ターゲット識別子情報および敏感エリアの敏感エリア情報を取得するように構成される。
【０１８４】
本開示の別の実施例において、図１４を参照し、当該確定モジュール１１０５は、第二取得ユニット１１０５４、第三確定ユニット１１０５５、第三取得ユニット１１０５６を含む。
【０１８５】
第二取得ユニット１１０５４は、履歴ビデオのビデオ画像で描かれた第一エリアとビデオ画像で選択されたターゲットオブジェクトを取得するように構成され、ターゲットオブジェクトがビデオ画像で描かれた第二エリアに含まれるオブジェクトであり、または、ターゲットオブジェクトがビデオ画像で検出された選択操作により選択されたオブジェクトである。
【０１８６】
第三確定ユニット１１０５５は、第一エリアとターゲットオブジェクトのうちの少なくとも一つ中で事前に設定されたジェスチャー操作が検出された場合、第一エリアを監視ターゲットに対応する敏感エリアとして確定し、およびターゲットオブジェクトを監視ターゲットとして確定するように構成される。
【０１８７】
第三取得ユニット１１０５６は、監視ターゲットの監視ターゲット識別子情報および敏感エリアの敏感エリア情報を取得するように構成される。
【０１８８】
本開示の実施例において、端末は、サーバーに設定情報を送信し、設定情報に監視ターゲット識別子情報と監視ターゲットに対応する敏感エリア情報が携帯され、サーバーが監視ビデオを取得し、且つ、監視ビデオの敏感エリアに監視ターゲットが存在する場合、警報情報を返すようにし、端末は、前記警報情報を受信し場合、警報を行うことができ、それによって不安全なイベントの発生を予防する。
【０１８９】
前記実施例における装置に関し、その中の各モジュールが操作を実行する具体的な方式は、当該方法に関する実施例で詳しく説明されたため、ここでそれに対して詳しく説明しない。
【０１９０】
図１５は例示的な実施例による警報のための装置１５００のブロック図である。例えば、装置１５００は、サーバーとして提供されることができる。図１５を参照し、装置１５００は、一つまたは複数のプロセッサが含まれる処理コンポーネント１５２２、およびメモリ１５３２によって代表されるメモリリソースであって、処理コンポーネント１５２２で実行可能な命令、例えばアプリケーションプログラムを記憶するように構成されるメモリリソースを含む。メモリ１５３２に記憶されたアプリケーションは、それぞれが１グループの命令に対応する一つ以上のモジュールを含むことができる。
【０１９１】
装置１５００は、さらに、装置１５００の電源管理を実行するように構成される電源コンポーネント１５２６、装置１５００をネットワークに接続するように構成される有線または無線ネットワークインタフェース１５５０、および入出力（Ｉ／Ｏ）インターフェイス１５５８を含む。装置１５００は、メモリ１５３２に記憶された操作システム、例えば、Ｗｉｎｄｏｗｓ（登録商標）  ＳｅｒｖｅｒＴＭ、Ｍａｃ  ＯＳ  ＸＴＭ、Ｕｎｉｘ（登録商標）ＴＭ、Ｌｉｎｕｘ（登録商標）ＴＭ、ＦｒｅｅＢＳＤＴＭまたはこれらと類似するシステムに基づいて操作されることができる。
【０１９２】
また、処理コンポーネント１５２２は、下記の警報方法を実行するように、命令を実行するように構成される。前記警報方法は、
監視ビデオを取得することと、
監視ビデオの敏感エリアに監視ターゲットが存在しているかどうかを判断することと、
敏感エリアに監視ターゲットが存在する場合、端末に警報情報を送信し、端末が警報を行うようにすることとを含む。
【０１９３】
本開示の別の実施例において、監視ビデオの敏感エリアに監視ターゲットが存在しているかどうかを判断することは、
監視ビデオに移動ターゲットが存在しているかどうかを判断することと、
監視ビデオに移動ターゲットが存在する場合、移動ターゲットが監視ターゲットであるかどうかを判断することと、。
【０１９４】
移動ターゲットが監視ターゲットである場合、監視ターゲットが敏感エリアに位置しているかどうかを判断することと、
監視ターゲットが敏感エリアに位置している場合、監視ビデオの敏感エリアに監視ターゲットが存在していることを確定することとを含む。
【０１９５】
本開示の別の実施例において、監視ビデオの敏感エリアに監視ターゲットが存在しているかどうかを判断することは、
監視ビデオの敏感エリアに移動ターゲットが存在しているかどうかを判断することと、
敏感エリアに移動ターゲットが存在する場合、移動ターゲットが監視ターゲットであるかどうかを判断することと、
移動ターゲットが監視ターゲットである場合、監視ビデオの敏感エリアに監視ターゲットが存在することを確定することとを含む。
【０１９６】
本開示の別の実施例において、移動ターゲットが監視ターゲットであるかどうかを判断することは、
移動ターゲットの特徴を確定することと、
移動ターゲットの特徴と監視ターゲットの特徴とのマッチング度合いを確定することと、
マッチング度合いが指定された値より大きい場合、移動ターゲットを監視ターゲットとして確定することとを含む。
【０１９７】
本開示の別の実施例において、移動ターゲットの特徴を確定することは、
監視ビデオのビデオ画像で、移動ターゲットの所在エリアを切り取り、ターゲット画像を取得することと、
ターゲット画像に対して特徴抽出を行い、移動ターゲットの特徴を取得することとを含む。
【０１９８】
本開示の別の実施例において、移動ターゲットの特徴と監視ターゲットの特徴とのマッチング度合いを確定する前に、さらに、
端末から送信された設定情報を受信し、設定情報に監視ターゲット識別子情報が携帯されることと、
監視ターゲット識別子情報に基づいて、記憶された履歴ビデオから監視ターゲットの追跡ビデオを取得することと、
追跡ビデオの各フレームのビデオ画像から、監視ターゲットの追跡画像を取得することと、
監視ターゲットの追跡画像に対して特徴抽出を行い、監視ターゲットの特徴を取得することとを含む。
【０１９９】
本開示の別の実施例において、設定情報にも監視ターゲットに対応する敏感エリア情報が携帯され、当該敏感エリア情報は、敏感エリアを取得することに用いられる。
【０２００】
本開示の別の実施例において、監視ターゲットが敏感エリアに位置しているかどうかを判断することは、
監視ターゲットに対してターゲット追跡を行い、監視ターゲットの現時点の所在位置を取得することと、
監視ターゲットの現在点の所在位置に基づいて、監視ターゲットが敏感エリアに位置しているかどうかを判断することとを含む。
【０２０１】
本開示の実施例において、サーバーは、監視ビデオを取得し、且つ、監視ビデオの敏感エリアに監視ターゲットが存在しているかどうかを判断し、敏感エリアに監視ターゲットが存在する場合、サーバーは、端末に警報情報を送信し、端末が警報を行うようにし、それによって不安全なイベントの発生を予防する。
【０２０２】
図１６は例示的な実施例による警報装置１６００のブロック図である。例えば、装置１６００は、携帯電話、パソコン、デジタル放送端末、情報送受信装置、タブレット装置、医療装置、フィットネス機器、パーソナルディジタルアシスタント等であってよい。
【０２０３】
図１６を参照し、装置１６００は、一つまたは複数のコンポーネントを含むことができる、処理コンポーネント１６０２、メモリ１６０４、電源コンポーネント１６０６、マルチメディアコンポーネント１６０８、オーディオコンポーネント１６１０、入力／出力（Ｉ／Ｏ）インターフェース１６１２、センサーコンポーネント１６１４、および通信コンポーネント１６１６の一つまたは複数のコンポーネントを含むことができる。
【０２０４】
処理コンポーネント１６０２は、通常、表示、電話コール、データ通信、カメラ操作および記録操作に関する操作のような装置１６００の全体操作を制御する。処理コンポーネント１６０２は、記警報方法の全てまたは一部のステップを完了するように、一つまたは複数のプロセッサ１６２０を含んで命令を実行することができる。また、処理コンポーネン１６０２は、マルチメディアコンポーネント１６０８と他のコンポーネンとのインタラクションを容易にするように、一つまたは複数のモジュールを含むことができる。
【０２０５】
メモリ１６０４は、装置１６００の操作をサポートするために、様々なタイプのデータを記憶するように構成される。これらのデータの例は、装置１６００で操作されるいかなるアプリケーションプログラムまたは方法のための命令、連絡先データ、電話帳データ、情報、ピクチャー、ビデオ等を含む。記憶装置１６０４は、スタティックランダムメモリ（ＳＲＡＭ）、電気消去可能プログラマブル読取専用メモリ（ＥＥＰＲＯＭ）、消去可能プログラマブル読取専用メモリ（ＥＰＲＯＭ）、プログラマブル読取専用メモリ（ＰＲＯＭ）、読取専用メモリ（ＲＯＭ）、磁気メモリ、フラッシュメモリ、磁気ディスクまたはＣＤディスクなどのようないかなるタイプの揮発性または不揮発性記憶装置またはそれらの組み合わせによって実現されることができる。
【０２０６】
電源コンポーネント１６０６は、装置１６００の各コンポーネントに電力を提供する。電源コンポーネント１６０６は、電源管理システム、一つまたは複数の電源、および装置１６００のために電力を生成、管理、分配することに関する他のコンポーネントを含む。
【０２０７】
マルチメディアコンポーネント１６０８は、前記装置１６００とユーザーの間にある出力インターフェースを提供するスクリーンを含む。いくつかの実施例において、スクリーンは、液晶ディスプレー（ＬＣＤ）とタッチパネル（ＴＰ）を含むことができる。スクリーンがタッチパネルを含む場合、スクリーンは、ユーザからの入力情報を受信するように、タッチパネルとして実現されることができる。タッチパネルは、タッチ、スライドとジェスチャー操作をセンシングするように、一つまたは複数のタッチセンサーを含む。前記タッチセンサーは、タッチまたはスライドの境界をセンシングするだけではなく、前記タッチ、スライド操作に関連する持続時間と圧力を検出することができる。いくつかの実施例において、マルチメディアコンポーネント１６０８は、フロントカメラおよび／またはリアカメラを含む。装置１６００が撮影モードまたはビデオモードのような操作モードにある場合、フロントカメラおよび／またはリアカメラは、外部のマルチデータを受信できる。各フロントカメラおよびリアカメラは、固定された光学レンズシステムであってよく、または焦点距離と光学ズーム機能を備える。
【０２０８】
オーディオコンポーネント１６１０は、オーディオ信号を出力および／または入力するように構成される。例えば、オーディオコンポーネント１６１０は、一つのマイク（ＭＩＣ）を含み、装置１６００がコールモード、記録モードおよび音声識別モードのような操作モードにある場合、マイクは、外部のオーディオ信号を受信するように構成される。受信されたオーディオ信号は、更にメモリに記憶され、または、通信コンポーネント１６１６を経由して送信されることができる。いくつかの実施例において、オーディオコンポーネント１６１０は、さらに、オーディオ信号を出力するように構成されるスピーカーを含む。
【０２０９】
Ｉ／Ｏインターフェース１６１２は、処理コンポーネント１６０２と周辺インターフェースコンポーネントとの間にインターフェースを提供し、前記周辺インターフェースモジュールは、キーボード、クリックホイール、押しボタンなどであってよい。これらのボタンは、ホームページボタン、音声ボリュームボタン、起動ボタン、ロックボタンを含むことがこれらに限られない。
【０２１０】
センサーモジュール１６１４は、装置１６００のために様々な方面の状態評価を提供するように構成される一つまたは複数のセンサーを含む。例えば、センサーモジュール１６１４は、装置１６００のオン／オフ状態、コンポーネントの相対的位置決め、例えば前記コンポーネントが装置１６００のディスプレイーとキーパッドであることを検出でき、センサーモジュール１６１４は、さらに装置１６００または装置１６００の一つのコンポーネントの位置変化、ユーザーと装置１６００との接触が存在するかどうか、装置１６００の方位または加速／減速と装置１６００の温度変化を検出できる。センサーコンポーネント１６１４は、いかなる物理的な接触が無い場合に付近の物体の存在を検出するように構成される近接センサーを含むことができる。センサーコンポーネント１６１４は、さらに、イメージングアプリケーションに使用されるように構成されるＣＭＯＳまたはＣＣＤ画像センサーのような光センサーを含むことができる。いくつかの実施例において、当該センサーコンポーネント１６１４は、さらに加速度センサー、ジャイロスコープセンサー、磁気センサー、圧力センサーまたは温度センサーを含むことができる。
【０２１１】
通信コンポーネント１６１６は、装置１６００と他の装置との有線または無線通信を容易にするように構成される。装置１６００は、通信基準に基づく無線ネットワック、例えば、ＷｉＦｉ、２Ｇ、３Ｇ、またはそれらの組み合わせにアクセスできる。一つの例示的な実施例において、通信コンポーネント１６１６は、放送チャンネルを介して外部の放送管理システムからの放送信号または放送情報を受信する。一つの例示的な実施例において、前記通信コンポーネント１６１６は、さらに、短距離通信を促進するように、近距離通信（ＮＦＣ）モジュールを含む。例えば、ＮＦＣモジュールは、ＲＦ識別（ＲＦＩＤ）技術、赤外線データ協会（ＩｒＤＡ）技術、超広帯域（ＵＷＢ）技術、ブルートゥース（登録商標）（ＢＴ）技術と他の技術に基づいて実現されることができる。
【０２１２】
例示的な実施例において、装置１６００は、一つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラー、マイクロコントローラー、マイクロプロセッサまたは他の電子部品により実現されることができ、前記警報方法を実行するように構成される。
【０２１３】
例示的な実施例において、記憶装置１６０のような命令を含む非一時的なコンピューター可読記憶媒体が提供される。前記命令は、前記方法を完了するように、装置１６００のプロせッサ１６２０によって実行されることができる。例えば、前記非一時的なコンピューター可読記憶媒体は、ＲＯＭ、ランダムアクセスメモリ（ＲＡＭ）、ＣＤ−ＲＯＭ、磁気テープ、フロッピー（登録商標）ディスクと光データ記憶装置などであってよい。
【０２１４】
非一時的なコンピューター可読記憶媒体であて、前記記憶媒体における命令が移動端末のプロセッサによって実行される場合、移動端末は、警報方法を実行することができ、前記方法は、
サーバーに設定情報を送信し、設定情報に監視ターゲット識別子情報と監視ターゲットに対応する敏感エリア情報が携帯され、サーバーが監視ビデオを取得し、且つ、監視ビデオの敏感エリアに監視ターゲットが存在する場合、警報情報を返すようにすることと、
サーバーから返された警報情報を受信した場合、警報情報に基づいて、警報を行うこととを含む。
【０２１５】
本開示の別の実施例において、サーバーに設定情報を送信する前に、さらに、
履歴ビデオを取得し、履歴ビデオを再生することと、
履歴ビデオの再生過程において、履歴ビデオのビデオ画像に基づいて、監視ターゲット識別子情報と監視ターゲットに対応する敏感エリア情報を確定することとを含む。
【０２１６】
本開示の別の実施例において、履歴ビデオのビデオ画像に基づいて、監視ターゲット識別子情報と敏感エリア情報を確定することは、
履歴ビデオのビデオ画像に基づいて第一選択命令を受信した場合、第一選択命令により選択されたオブジェクトを監視ターゲットとして確定することと、
履歴ビデオのビデオ画像に基づいて第二選択命令を受信した場合、第二選択により選択されたエリアを監視ターゲットに対応する敏感エリアとして確定することと、
監視ターゲットの監視ターゲット識別子情報および敏感エリアの敏感エリア情報を取得することとを含む。
【０２１７】
本開示の別の実施例において、履歴ビデオのビデオ画像に基づいて、監視ターゲット識別子情報と監視ターゲットに対応する敏感エリア情報を確定することは、
履歴ビデオ画像のビデオ画像で描かれた第一エリアとビデオ画像で選択されたターゲットオブジェクトを取得し、ターゲットオブジェクトがビデオ画像で描かれた第二エリアに含まれるオブジェクトであり、または、ターゲットオブジェクトがビデオ画像で検出された選択操作により選択されたオブジェクトであることと、
第一エリアとターゲットオブジェクトのうちの少なっくとも一つでで事前に設定されたジェスチャー操作が検出された場合、第一エリアを監視ターゲットに対応する敏感エリアとして確定し、およびターゲットオブジェクトを監視ターゲットとして確定することと、
監視ターゲットの監視ターゲット識別子情報および敏感エリアの敏感エリア情報を取得することとを含む。
【０２１８】
本開示の実施例において、端末は、サーバーに設定情報を送信し、設定情報に監視ターゲット識別子情報と監視ターゲットに対応する敏感エリア情報が携帯され、サーバーが監視ビデオを取得し、且つ、監視ビデオの敏感エリアに監視ターゲットが存在する場合、警報情報を返すようにし、端末は、前記警報情報を受信した場合、警報を行うことができ、それによって不安全なイベントの発生を予防する。
【０２１９】
当業者は、明細書を考慮してここで開示された発明を実践した後、本発明の他の実施形態を容易に想到する。本出願は、本発明のいかなる変形、用途または適応性変化をカバーすることを意図しており、これらの前記変形、用途または適応性変化は、本発明の一般的な原理に従い且つ本開示の実施例で開示されない本技術分野の公知常識または慣用技術手段を含む。明細書と実施例は、例示的なものと見なされるだけであり、本発明の真の範囲と精神は、以下の特許請求の範囲によって示される。
【０２２０】
本発明は、以上に説明されかつ図面に示された精確な構造に限らず、且つ、その範囲から逸脱することなく様々な修正と変更を行うことができると理解すべきである。本発明の範囲は、添付の特許請求の範囲のみによって制限される。
【産業上の利用可能性】
【０２２１】
本開示の実施例において、サーバーは、監視ビデオを取得し、監視ビデオの敏感エリアに監視ターゲットが存在しているかどうかを判断し、敏感エリアに監視ターゲットが存在する場合、サーバーは、端末に警報情報を送信し、端末が警報を行うようにし、それによって不安全なイベントの発生を予防する。
【図１】
2017538978.tif 000003
【図２】
2017538978.tif 000004
【図３】
2017538978.tif 000005
【図４】
2017538978.tif 000006
【図５】
2017538978.tif 000007
【図６】
2017538978.tif 000008
【図７】
2017538978.tif 000009
【図８】
2017538978.tif 000010
【図９】
2017538978.tif 000011
【図１０】
2017538978.tif 000012
【図１１】
2017538978.tif 000013
【図１２】
2017538978.tif 000014
【図１３】
2017538978.tif 000015
【図１４】
2017538978.tif 000016
【図１５】
2017538978.tif 000017
【図１６】
2017538978.tif 000018
【国際調査報告】
2017538978.tif 000019
2017538978.tif 000020
2017538978.tif 000021
2017538978.tif 000022